(57)【要約】【課題】  電気相互接続システムを提供する。【解決手段】  本発明は、第１の接触パッドと、複数の第２の接触パッドと、を含む、パドルカードと、それぞれが第１の接触部分を有する、複数の第１の導体を含む第１のウェハと、それぞれが第２の接触部分を有する、複数の第２の導体を含む第２のウェハと、を備え、第１のウェハ及び第２のウェハが、第１の接触部分と第２の接触部分とを互いに向かい合わせにし、かつパドルカードの少なくとも一部を収容するための空隙をその間に形成することができるように一緒に組み立てられ、パドルカードが空隙の中に少なくとも一部収容されるとき、各第１の接触部分が、対応する第１の接触パッドと電気的に接触するように適合され、各第２の接触部分が、対応する第２の接触パッドと電気的に接触するように適合される、電気相互接続システム、を提供する。【選択図】図７
2019106392.tif 000002
【特許請求の範囲】
【請求項１】
電気相互接続システムであって、
板状であり、第１の表面（３１）及び背中合わせの第２の表面（３２）を有するパドルカード（３０）であって、前記パドルカード（３０）の前記第１の表面（３１）上に位置付けられた複数の第１の接触パッド（３３）と、前記パドルカード（３０）の前記第２の表面（３２）上に位置付けられた複数の第２の接触パッド（３４）と、を含む、パドルカード（３０）と、
それぞれが第１の接触部分（１３１ａ）を有する、複数の第１の導体（１３ａ）を含む第１のウェハ（１１ａ）と、
それぞれが第２の接触部分（１３１ｂ）を有する、複数の第２の導体（１３ｂ）を含む第２のウェハ（１１ｂ）と、を備え、
各ウェハ（１１ａ、１１ｂ）が、前記ウェハ（１１ａ、１１ｂ）の前記複数の導体（１３ａ、１３ｂ）のうちの少なくとも一部を密閉する筐体（１２）を含み、各前記筐体（１２）が、前記ウェハがプリント基板（６０）上に取り付けられ得る取り付け縁（１２２）と、前記接触部分（１３１ａ、１３１ｂ）が位置する嵌合縁（１２１）と、を有し、
前記第１のウェハ（１１ａ）及び前記第２のウェハ（１１ｂ）が、前記第１の接触部分（１３１ａ）と前記第２の接触部分（１３１ｂ）とを互いに向かい合わせにし、かつ前記パドルカード（３０）の少なくとも一部を収容するための空隙（１３１０）をその間に形成することができるように一緒に組み立てられ、
前記パドルカード（３０）が前記空隙（１３１０）の中に少なくとも一部収容されるとき、各第１の接触部分（１３１ａ）が、対応する第１の接触パッド（３３）と電気的に接触するように適合され、各第２の接触部分（１３１ｂ）が、対応する第２の接触パッド（３４）と電気的に接触するように適合される、電気相互接続システム。
【請求項２】
２つ以上の第１のウェハ（１１ａ）及び２つ以上の第２のウェハ（１１ｂ）を備え、前記第１のウェハ（１１ａ）及び第２のウェハ（１１ｂ）のそれぞれが板状であり、かつ隣り合わせに交互に配置されるように構成され、１つの第１のウェハ（１１ａ）及び１つの第２のウェハ（１１ｂ）が、１つのパドルカード（３０）と整合するウェハユニットを構成する、請求項１に記載の電気相互接続システム。
【請求項３】
各ウェハ（１１ａ、１１ｂ）が、前記プリント基板（６０）上に直立して取り付けられるように構成される、請求項１又は２に記載の電気相互接続システム。
【請求項４】
各第１の導体（１３ａ）及び各第２の導体（１３ｂ）が、取り付け部分（１３３）を更に含み、前記取り付け部分（１３３）が、前記取り付け縁（１２２）に位置し、かつ前記プリント基板（６０）と電気的に接続されるように構成される、請求項１又は２に記載の電気相互接続システム。
【請求項５】
前記第１の導体（１３ａ）のうちの少なくとも１つ及び前記第２の導体（１３ｂ）のうちの少なくとも１つが、信号伝送用の信号導体であり、前記第１の導体のうちの少なくとも１つ及び前記第２の導体のうちの少なくとも１つが、接地用の接地導体であり、前記信号導体及び前記接地導体のそれぞれが、前記筐体（１２）内に固定された接続部分を含み、かつ筐体（１２）の横方向に沿って互いに交互に配置され、一方のウェハの中の信号導体の前記接続部分が、前記ウェハの側面から見たときに、他方のウェハの中の前記接地導体の前記接続部分に面している、請求項１又は２に記載の電気相互接続システム。
【請求項６】
前記第１の導体（１３ａ）のうちの少なくとも１つ及び前記第２の導体（１３ｂ）のうちの少なくとも１つが、信号伝送用の信号導体であり、前記第１の導体のうちの少なくとも１つ及び前記第２の導体のうちの少なくとも１つが、接地用の接地導体であり、前記第１のウェハ（１１ａ）の前記信号導体の前記第１の接触部分（１３１ａ）が、前記第２のウェハ（１１ｂ）の前記接地導体の前記第２の接触部分（１３１ｂ）に面するように構成され、一方、前記第１のウェハ（１１ａ）の前記接地導体の前記第１の接触部分（１３１ａ）が、前記ウェハの側面から見たときに、前記第２のウェハ（１１ｂ）の前記信号導体の前記第２の接触部分（１３１ｂ）に面するように構成される、請求項１又は２に記載の電気相互接続システム。
【請求項７】
前記第１のウェハ（１１ａ）及び前記第２のウェハ（１１ｂ）のそれぞれの前記信号導体及び前記接地導体が、交互に配置される、請求項５に記載の電気相互接続システム。
【請求項８】
前記パドルカード（３０）が、少なくとも１つの電気ケーブルとの電気接続のために構成され、前記パドルカード（３０）の前記第１の表面（３１）及び前記第２の表面（３２）のうちの少なくとも一方の上に位置付けられ、かつそれぞれが前記第１の接触パッド（３３）及び前記第２の接触パッド（３４）のうちの少なくとも一方に電気接続されている、複数の電気接合パッド（３５）を更に含む、請求項１に記載の電気相互接続システム。
【請求項９】
前記第１の電気接合パッド（３５）と電気的に接続される、少なくとも１つの電気ケーブル（５０）を更に備える、請求項８に記載の電気相互接続システム。
【請求項１０】
プリント基板（６０）を更に備え、前記第１のウェハ（１１ａ）及び前記第２のウェハ（１１ｂ）が、前記プリント基板（６０）上に直立して取り付けられ、前記プリント基板（６０）と電気的に接触する、請求項１に記載の電気相互接続システム。
【請求項１１】
電気レセプタクルコネクタ（１０）であって、
それぞれが第１の接触部分（１３１ａ）を有する、複数の第１の導体（１３ａ）を含む少なくとも１つの第１のウェハ（１１ａ）と、
それぞれが第２の接触部分（１３１ｂ）を有する、複数の第２の導体（１３ｂ）を含む少なくとも１つの第２のウェハ（１１ｂ）と、を備え、
各ウェハ（１１ａ、１１ｂ）が、前記複数の導体（１３ａ、１３ｂ）のうちの少なくとも一部を密閉する筐体（１２）を含み、前記筐体（１２）が、前記ウェハがプリント基板（６０）上に取り付けられ得る取り付け縁（１２２）と、前記接触部分（１３１ａ、１３１ｂ）が位置する嵌合縁（１２１）と、を有し、
１つの第１のウェハ（１１ａ）の前記第１の接触部分と、１つの第２のウェハ（１１ｂ）の前記第２の接触部分とが、前記第１の接触部分（１３１ａ）と、前記対応する第２の接触部分（１３１ｂ）とを互いに向かい合わせにし、かつその間に空隙（１３１０）を形成することができるようにするように一緒に組立てられ、１つの第１のウェハ（１１ａ）と、１つの第２のウェハ（１１ｂ）とが、前記電気レセプタクルコネクタ（１０）に結合されるパドルカード（３０）を受容するための前記空隙（１３１０）を有するように構成されたウェハユニットを構成するように、前記第１及び第２のウェハ（１１ａ、１１ｂ）が、互いに隣り合わせに交互に配置される、電気レセプタクルコネクタ（１０）。
【請求項１２】
前記第１の導体（１３ａ）のうちの少なくとも１つ及び前記第２の導体（１３ｂ）のうちの少なくとも１つが、信号伝送用の信号導体であり、前記第１の導体のうちの少なくとも１つ及び前記第２の導体のうちの少なくとも１つが、接地用の接地導体であり、前記信号導体及び前記接地導体のそれぞれが、前記筐体内に固定され、かつ前記筐体の横方向に沿って互いに交互に配置される接続部分を含み、一方のウェハの中の前記信号導体の前記接続部分が、前記ウェハの側面から見たときに、他方のウェハの前記接地導体の前記接続部分に面している、請求項１１に記載の電気レセプタクルコネクタ（１０）。
【請求項１３】
前記第１の導体（１３ａ）のうちの少なくとも１つ及び前記第２の導体（１３ｂ）のうちの少なくとも１つが、信号伝送用の信号導体であり、前記第１の導体のうちの少なくとも１つ及び前記第２の導体のうちの少なくとも１つが、接地用の接地導体であり、前記第１のウェハ（１１ａ）の前記信号導体の前記第１の接触部分（１３１ａ）が、前記第２のウェハ（１１ｂ）の前記接地導体の前記第２の接触部分（１３１ｂ）に面するように構成され、一方、前記第１のウェハ（１１ａ）の前記接地導体の前記第１の接触部分（１３１ａ）が、前記ウェハの側面から見たときに、前記第２のウェハ（１１ｂ）の前記信号導体の前記第２の接触部分（１３１ｂ）に面するように構成される、請求項１１に記載の電気レセプタクルコネクタ（１０）。
【請求項１４】
前記空隙（１３１０）が、パドルカード（３０）の少なくとも一部を収容するように構成され、該パドルカード（３０）は、板状であり、第１の表面（３１）及び背中合わせの第２の表面（３２）を有し、かつ前記パドルカード（３０）の前記第１の表面（３１）上に位置付けられた複数の第１の接触パッド（３３）と、前記パドルカード（３０）の前記第２の表面（３２）上に位置付けられた複数の第２の接触パッド（３４）と、を含み、
前記パドルカード（３０）が前記空隙（１３１０）の中に少なくとも一部収容されるとき、各第１の接触部分（１３１ａ）が、対応する第１の接触パッド（３３）と電気的に接触するように適合され、各第２の接触部分（１３１ｂ）が、対応する第２の接触パッド（３４）と電気的に接触するように適合される、請求項１１に記載の電気レセプタクルコネクタ（１０）。
【請求項１５】
前記第１のウェハ（１１ａ）及び前記第２のウェハ（１１ｂ）のそれぞれが板状であり、かつ隣り合わせに交互に配置されるように構成される、請求項１１に記載の電気レセプタクルコネクタ（１０）。
【請求項１６】
各ウェハ（１１ａ、１１ｂ）が、前記プリント基板（６０）上に直立して取り付けられるように構成される、請求項１３〜１５のいずれか一項に記載の電気レセプタクルコネクタ（１０）。
【請求項１７】
各第１の導体（１３ａ）及び各第２の導体（１３ｂ）が、取り付け部分（１３３）を更に含み、前記取り付け部分（１３３）が、前記取り付け縁（１２２）の上に位置し、かつ前記プリント基板（６０）と電気的に接続されるように構成される、請求項１１に記載の電気レセプタクルコネクタ（１０）。
【請求項１８】
前記第１及び第２のウェハのうちの少なくとも一部を収容するように構成されたレセプタクル筐体（１４）を更に備え、前記レセプタクル筐体（１４）が、前記空隙（１３１０）の延在方向と直交し、かつ前記第１及び第２のウェハを一緒に配置させる係合機構を有する頂壁又は／及び底壁（１４３）を含む、請求項１１に記載の電気レセプタクルコネクタ（１０）。
【請求項１９】
前記第１及び第２の接触部分（１３１ａ、１３１ｂ）を収容するように構成されたレセプタクル筐体（１４）を更に備え、前記レセプタクル筐体（１４）が、その第１の受容端（１４８）に配設された少なくとも１つのレセプタクルポート（１４１）と、その対向する第２の受容端（１４９）に配設された少なくとも２列の接点受容開口（１４２）と、を含み、１つのウェハの各接触部分が、１つの接点受容開口（１４２）を通過するように構成され、第１及び第２のウェハのすべての対の前記接触部分が、１つのレセプタクルポート（１４１）内に収容される、請求項１１に記載の電気レセプタクルコネクタ。
【請求項２０】
前記レセプタクル筐体（１４）が、前記頂壁又は／及び前記底壁の前記内表面の上に配設され、かつ前記第１及び第２のウェハ（１１）を前記レセプタクル筐体（１４）の中に位置付けるように構成された複数の第１の案内溝（１４５）を更に含む、請求項１９に記載の電気レセプタクルコネクタ。
【請求項２１】
前記第１及び第２のウェハ（１１）を前記レセプタクル筐体（１４）の中に係止するために提供された複数の係止機構を更に備え、各係止機構が、各ウェハ（１１）上に提供された突起（１１１）と、前記突起（１１１）と係合するために、前記レセプタクル筐体（１４）上に配設された対応するロック溝（１４７）と、を含む、請求項１９に記載の電気レセプタクルコネクタ。
【請求項２２】
前記第１及び第２の接触部分（１３１ａ、１３１ｂ）の反対側の端部で、前記第１及び第２のウェハを少なくとも一部密閉するように構成された整列カバー（１５）を更に備え、前記第１及び第２のウェハ（１１）を前記整列カバー（１５）に係止するための複数の係止機構が提供される、請求項１８に記載の電気レセプタクルコネクタ。
【請求項２３】
電気プラグコネクタ（２０）であって、
少なくとも１つのパドルカード（３０）であって、板状であり、第１の表面（３１）及び背中合わせの第２の表面（３２）を有し、かつ前記パドルカード（３０）の前記第１の表面（３１）上に位置付けられた複数の第１の接触パッド（３３）と、前記第２の表面（３２）上に位置付けられた複数の第２の接触パッド（３４）と、を含む、少なくとも１つのパドルカード（３０）と、
１つのパドルカードの少なくとも一部分をその中に収容するように構成された少なくとも１つの開口（２２０）を含むプラグ筐体（２２）と、を備え、
前記プラグ筐体（２２）が、前記パドルカードを外部電子デバイスと電気的に接続させるために、前記外部電子デバイスと係合するように構成された機械的係合部を有する頂壁（２２２）及び／又は底壁（２２２）を含み、各パドルカードが、前記頂壁又は／及び前記底壁と直交する、電気プラグコネクタ（２０）。
【請求項２４】
前記機械的係合部が、前記頂壁（２２２）及び／又は前記底壁（２２２）の内表面上に位置付けられた少なくとも１つのリブ又は溝を有する、請求項２３に記載の電気プラグコネクタ。
【請求項２５】
前記パドルカード（３０）が、少なくとも１つの電気ケーブルとの電気接続のために構成され、かつ前記パドルカード（３０）の前記第１の表面（３１）及び前記第２の表面（３２）のうちの少なくとも一方の上に位置付けられ、それぞれが、前記第１の電気接触パッド（３３）及び前記第２の接触パッド（３４）のうちの少なくとも一方に電気接続されている、複数の電気接合パッド（３５）を含む、請求項２３に記載の電気プラグコネクタ。
【請求項２６】
前記プラグ筐体（２２）に取り外し可能に取り付けられ、かつ前記パドルカード（３０）に結合されることになる少なくとも１つの電気ケーブル（５０）を受容するように構成されたケーブルシェル（４０）を更に備える、請求項２３に記載の電気プラグコネクタ。
【請求項２７】
前記ケーブルシェル（４０）が、前記前壁（２２１）に隣接する先端（４１）と、対向する後端（４２）と、前記対向する後端（４２）から前記先端（４１）へと延在し、かつ前記複数のパドルカード（３０）に結合された電気ケーブル（５０）の末端部分を受容するように構成されたチャネル（４３）と、前記先端（４１）に位置付けられ、かつ前記複数のパドルカードを前記プラグ筐体の中に保持するように構成された一対の保持部材（４４）と、を含む、請求項３０に記載の電気プラグコネクタ。
【請求項２８】
前記ケーブルシェル（４０）が、下部シェル部（４５）と、前記下部シェル部（４５）と取り外し可能に係合された上部シェル部（４６）と、を含み、前記チャネル（４３）が、前記下部シェル部の中に配設される、請求項２６に記載の電気プラグコネクタ。
【請求項２９】
電気信号伝送システムであって、
請求項１３〜２６のいずれか一項に記載の電気レセプタクルコネクタ（１０）と、
請求項２７〜３２のいずれか一項に記載の電気プラグコネクタ（２０）と、
少なくとも１つの電気ケーブル（５０）と、
プリント基板（６０）と、を備え
前記電気ケーブル（５０）が、前記電気プラグコネクタ（２０）と電気的に接続され、前記電気プラグコネクタ（２０）が、前記電気レセプタクルコネクタ（１０）と電気的に接続され、前記電気レセプタクルコネクタ（１０）が、前記プリント基板（６０）に取り付けられ、かつ前記プリント基板（６０）と電気的に接触される、電気信号伝送システム。
【請求項３０】
電気プラグコネクタ筐体であって、
プラグ筐体（２２）であって、それを貫通する複数の開口（２２０）を有する前壁（２２１）を含み、かつその中に複数のパドルカード（３０）を保持するように構成されたプラグ筐体（２２）と、
前記プラグ筐体（２２）に取り外し可能に取り付けられ、かつ前記前壁に隣接する先端（４１）と、後端（４２）と、前記後端から先端へと延在し、かつ前記複数のパドルカードに電気的に接続された電気ケーブル（５０）の末端部分を受容するように構成されたチャネル（４３）と、前記先端に位置付けられ、かつ前記複数のパドルカードを前記プラグ筐体の中に保持するように構成された一対の保持部材（４４）と、を含む、ケーブルシェル（４０）と、を備える、電気プラグコネクタ筐体。
【請求項３１】
コネクタ（１００）であって、
第１及び第２のウェハ（１１ａ、１１ｂ）であって、各ウェハが、
嵌合コネクタに面し、かつ基板の上に取り付けられるように構成された取り付け縁（１２２）と直交するように構成された嵌合縁（１２１）を含む筐体（１２）と、
前記筐体（１２）内に少なくとも一部固定され、かつ前記筐体（１２）の横方向に沿って互いに交互に配置された複数の一対の信号導体（１３ｃ、１３ｄ）及び複数の接地導体（１４）であって、前記複数の一対の信号導体及び接地導体の中の各信号導体（１３ｃ、１３ｄ）及び各接地導体（１４）が、
嵌合コネクタの対応する接点と接触するための、前記筐体の外側及び前記筐体の前記嵌合縁（１２１）にある接触部分（１３８、１３９、１４９）と、
基板上の対応する導電性トレースと接触するための、前記筐体の外側及び前記筐体の前記取り付け縁（１２２）にある取り付け部分（１３６、１３７、１４８）と、
前記筐体内に配設され、前記接触部分（１３８、１３９、１４９）を前記取り付け部分（１３６、１３７、１４８）と接続する接続部分（１３４、１３５，１４７）であって、前記嵌合縁から前記取り付け縁へと延在する、対向する長手方向縁（１３４ａ、１１３４ｂ、１３５ａ、１３５ｂ、１４７ａ、１４７ｂ）を有し、一方のウェハの中の各一対の信号導体（１３ｃ、１３ｄ）の前記接触部分（１３８、１３９）が、他方のウェハの中の異なる対応する接地導体（１４）の前記接触部分（１４９）に面し、前記コネクタの側面から見たときに、前記一対の信号導体（１３ｃ、１３ｄ）の前記接触部分の前記長手方向縁（１３８ａ、１３９ｂ）が、前記異なる対応する接地導体（１４）の前記接触部分の前記長手方向縁（１４９ａ、１４９ｂ）の間に配設される、前記接続部分（１３４、１３５、１４７）、と、を有する、複数の一対の信号導体（１３ｃ、１３ｄ）及び複数の接地導体（１４）と、を含む、第１及び第２のウェハ（１１ａ、１１ｂ）、を備える、コネクタ（１００）。
【請求項３２】
プラグコネクタ筐体（５００）であって、
前部筐体部分（６００）であって、
頂壁（６１０）と、
底壁（６２０）と、
前記頂壁と前記底壁との間に延在する一対の対向する側壁（６３０）と、
前記頂壁と前記底壁と前記側壁との間に延在する垂直前方嵌合壁（６４０）であって、そこを貫通して延在する複数の離間垂直スロット（６５０）を画定し、各垂直スロットが、回路基板（４００）を受容するように構成される、垂直前方嵌合壁（６４０）と、
前記頂壁と同一平面上にあり、かつ前記嵌合壁から前方に延在する頂部フランジ（６６０）と、
前記底壁と同一平面上にあり、かつ前記嵌合壁から前方に延在する底部フランジ（６６５）と、
前記頂壁の裏側の前記側壁のうちの１つの上面上に配設された少なくとも１つの第１の係合部材（６７０）と、
前記底壁の裏側の前記側壁のうちの１つの底面上に配設された少なくとも１つの第２の係合部材（６８０）と、
前記頂壁及び前記底壁のうちの一方の内部表面上に配設された第３の係合部材（６９０）と、を含む、前部筐体部分（６００）と、
頂部筐体部分（７００）であって、
頂壁（７１０）と、
前記頂壁から下向きに延在する一対の対向する側壁（７２０）であって、前記頂壁及び側壁が、複数の回路基板（４００）を受容するための空洞（７３０）を画定する、一対の対向する側壁（７２０）と、
前記頂壁から下向きに延在し、かつ前記側壁の間に配設されたディバイダ（７４０）と、
前記頂壁の内部表面上及び前方に配設された少なくとも１つの第１の係合部材（７５０）と、
前記頂壁の内部表面上に配設された第２の係合部材（７６０）と、
前記ディバイダの底部にある第１の位置決め穴（７７０）と、を含む、頂部筐体部分（７００）と、
底部筐体部分（８００）であって、
底壁（８１０）と、
前記底壁から上向きに延在する一対の対向する側壁（８２０）と、
前記頂壁から上向きに延在し、かつ前記側壁の間に配設されたディバイダ（８３０）と、
上面上及び前記底壁の前方にある少なくとも１つの第１の係合部材（８４０）と、
前記ディバイダの頂部にある第１の位置決め穴（８５０）と、を含む、底部筐体部分（８００）と、を備え、
前記前部筐体部分、前記頂部筐体部分、及び前記底部筐体部分が、
前記前部筐体部分の前記少なくとも１つの第１の係合部材（６７０）が、前記頂部筐体部分の前記少なくとも１つの第１の係合部材（７５０）と係合し、
前記前部筐体部分の前記少なくとも１つの第２の係合部材（６８０）が、前記底部筐体部分の前記少なくとも１つの第１の係合部材（８４０）と係合し、
ファスナが、前記頂部筐体部分の前記第１の位置決め穴（７７０）を前記底部筐体部分の前記第１の位置決め穴（８５０）と係合するように、可逆的に組み立てられ、前記プラグコネクタ筐体が、各回路基板が、
前記頂部フランジと前記底部フランジとの間に前記嵌合壁から前方に延在する前記回路基板の前記エッジコネクタ（４３０）と、
前記回路基板の前記第１の係合部材（４１０）と係合する前記前部筐体部分と係合する前記第３の係合部材（６９０）と、
前記回路基板の前記第２の係合部材（４２０）と係合する前記頂部筐体部分の前記第２の係合部材（７６０）とともに、対応する垂直スロット内に配置されるように、前記回路基板の縁に沿った第１（４１０）及び第２の（４２０）係合部材と、前記回路基板の前方にあるエッジコネクタ（４３０）とを有する、回路基板（４００）を受容するように構成される、プラグコネクタ筐体（５００）。
【発明の詳細な説明】
【技術分野】
【０００１】
本発明は概して、電気相互接続システムに関し、とりわけ信号伝送のために用いられることができる電気相互接続システム及びその電気コネクタに関する。
【背景技術】
【０００２】
従来の電気通信機器では、電気通信システムにおいてバックパネルとしてプリント基板（ＰＣＢ）が通常用いられ、独立した電気モジュール間の相互接続及び信号伝送は、これらの独立した電気モジュールをバックパネルに接続することによって達成される電気通信分野における信号伝送の強度及び速度に対する高まる要求のため、バックパネルの開発に対する更なる注目が存在する。しかしながら、既存の高速バックパネルは、その信号伝送能力について、長距離伝送欠損及び信号の損失等のいくつかの困難に直面している。とりわけ、既存のバックパネルとしてのプリント基板の信号伝送能力は、例えば、その絶縁材及びその上の電気回路に制約される。例えば、ＰＣＢ用途において、ＰＣＢの絶縁材として通常用いられるエポキシ樹脂は、約０．０１という高い損失係数を有し、更に、基板上の高密度のレイアウトにより、電気回路の大きさが制限され得る。特に、１００ｃｍ以上の伝送距離及び／又は約１５Ｇｂｐｓの伝送速度について、従来のＰＣＢバックパネルが用いられるとき、信号損失／信号減衰及び伝送速度制限が起こり得る。
【０００３】
他方では、電気ケーブルは、電気通信及び信号伝送において重要な役割を果たす。ＰＣＢと比較して、電気ケーブルは通常、その構造、材料等により、長距離伝送により多くの利点を有する。更に、電気ケーブルの中の絶縁材は通常、例えば、０．００２未満等の低い損失係数を有する。また、電気ケーブルは、コスト及び製造上の利点を有する。したがって、ＰＣＢバックパネルの他に、電気ケーブルアセンブリが、電気通信及び信号伝送における流行となっている。
【０００４】
当業界において、いくらかの取り組みが図られている。例えば、中国特許第１０２１６０２３９号は、プリント基板接続用の高密度ケーブルアセンブリを開示している。本参照において、ピンヘッダコネクタがプリント基板上に取り付けられ、複数の電気ケーブルアセンブリがキャリアによって密に配置され、ヘッダと嵌合するように構成される。各電気ケーブルアセンブリは、電気ケーブル端子と、電気ケーブル端子に結合される電気ケーブルと、を含む。ピンヘッダ及び電気ケーブル端子は、電気ケーブル端子のそれぞれが接続ピンのうちの少なくとも１つと電気的に接触するように構成される。したがって、高密度伝送のために、多くの（例えば、何百もの）ケーブル端子が必要とされる。更に、ケーブル端子がこれらの電気ケーブルのそれぞれに取り付けられるべきであるため、費用がかかる。
【発明の概要】
【課題を解決するための手段】
【０００５】
本発明は、従来の技術的解決法において存在する上述の不利益のうちの少なくとも１つの態様を克服又は軽減するために行われたものである。
【０００６】
したがって、長距離かつ高密度の電気通信及び信号伝送のために適した電気相互接続システムを提供することが、本発明の少なくとも１つの目的である。
【０００７】
したがって、長距離かつ高密度の電気通信及び信号伝送のために適した電気レセプタクルコネクタを提供することが、本発明の別の目的である。
【０００８】
したがって、長距離かつ高密度の電気通信及び信号伝送のために適した電気プラグコネクタを提供することが、本発明のまた別の目的である。
【０００９】
したがって、長距離かつ高密度の電気通信及び信号伝送のために適した電気信号伝送システムを提供することが、本発明の更にまた別の目的である。
本発明の一態様によれば、電気相互接続システムは、
板状であり、第１の表面及び背中合わせの第２の表面を有するパドルカードであって、パドルカードの第１の表面上に位置付けられた複数の第１の接触パッドと、パドルカードの第２の表面上に位置付けられた複数の第２の接触パッドと、を含む、パドルカードと、
それぞれが第１の接触部分を有する、複数の第１の導体を含む第１のウェハと、
それぞれが第２の接触部分を有する、複数の第２の導体を含む第２のウェハと、を備え、
各ウェハが、ウェハの複数の第１の導体及び複数の第２の導体のうちの少なくとも一部を密閉する筐体を含み、各筐体が、ウェハがプリント基板上に取り付けられ得る取り付け縁と、第１及び第２の接触部分が位置する嵌合縁と、を有し、
第１のウェハ及び第２のウェハが、第１の接触部分と第２の接触部分とを互いに向かい合わせにし、かつパドルカードの少なくとも一部を収容するための空隙をその間に形成することができるように一緒に組み立てられ、
パドルカードが空隙の中に少なくとも一部収容されるとき、各第１の接触部分が、対応する第１の接触パッドと電気的に接触するように適合され、各第２の接触部分が、対応する第２の接触パッドと電気的に接触するように適合される。
【００１０】
具体的には、電気相互接続システムは、２つ以上の第１のウェハ及び２つ以上の第２のウェハを備え、第１のウェハ及び第２のウェハのそれぞれがシート状であり、かつ互いに隣り合わせに交互に配置されるように構成され、１つの第１のウェハ及び１つの第２のウェハが、１つのパドルカードと整合するウェハユニットを構成する。好適には、各ウェハが、プリント基板上に直立して取り付けられるように構成される。
【００１１】
少なくとも１つの実施形態では、各第１の導体及び各第２の導体が、取り付け部分を更に含み、取り付け部分が、取り付け縁上に位置し、かつプリント基板と電気的に接続されるように構成される。例えば、第１の導体のうちの少なくとも１つ及び第２の導体のうちの少なくとも１つが、信号伝送用の信号導体であり、第１の導体のうちの少なくとも１つ及び第２の導体のうちの少なくとも１つが、接地用の接地導体であり、信号導体及び接地導体のそれぞれが、筐体内に固定された接続部分を含み、かつ筐体の横方向に沿って互いに交互に配置され、一方のウェハの中の各対の信号導体の接続部分が、ウェハの側面から見たときに、他方のウェハの中の接地導体の接続部分に面している。第１の導体のうちの少なくとも１つ及び第２の導体のうちの少なくとも１つが、信号伝送用の信号導体であり、第１の導体のうちの少なくとも１つ及び第２の導体のうちの少なくとも１つが、接地用の接地導体である。第１のウェハの信号導体の第１の接触部分が、第２のウェハの接地導体の第２の接触部分に面するように構成され、一方、第１のウェハの接地導体の第１の接触部分が、ウェハの側面から見たときに、第２のウェハの信号導体の第２の接触部分に面するように構成される。第１のウェハ及び第２のウェハのそれぞれの信号導体及び接地導体が、交互に配置される。
【００１２】
特に、パドルカードは、少なくとも１つの電気ケーブルとの電気接続のために構成され、パドルカードの第１の表面及び第２の表面のうちの少なくとも一方の上に位置付けられ、かつそれぞれが第１の接触パッド及び第２の接触パッドのうちの少なくとも一方に電気接続されている、複数の電気接合パッドを更に含み得る。
【００１３】
より具体的には、電気相互接続システムは、第１の電気接合パッドと各々電気的に接続される、少なくとも１つの電気ケーブル（例えば、電気リボンケーブル）を更に備え得る。また、電気相互接続システムは、プリント基板を更に備え得、第１のウェハ及び第２のウェハが、プリント基板上に直立して取り付けられ、プリント基板と電気的に接触する。
【００１４】
本発明の別の態様によれば、電気レセプタクルコネクタは、それぞれが第１の接触部分を有する、複数の第１の導体を含む少なくとも１つの第１のウェハと、それぞれが第２の接触部分を有する、複数の第２の導体を含む少なくとも１つの第２のウェハ（１１ｂ）と、を備え、各ウェハ（１１ａ、１１ｂ）が、複数の第１の導体及び複数の第２の導体のうちの少なくとも一部を密閉する筐体を含み、その筐体が、ウェハがプリント基板上に取り付けられ得る取り付け縁と、第１及び第２の接触部分が位置する嵌合縁と、を有し、第１及び第２のウェハが、各第１の接触部分と、各第２の接触部分とが、第１の接触部分と、対応する第２の接触部分とを互いに向かい合わせにし、かつその間に空隙を形成することができるようにするように一緒に組み立てられ、電気レセプタクルコネクタに結合されるパドルカードを受容するための空隙を有するように構成される、ウェハユニットを構成するように、互いに隣り合わせに交互に配置される。
【００１５】
特に、第１の導体のうちの少なくとも１つ及び第２の導体のうちの少なくとも１つが、信号伝送用の信号導体であり、第１の導体のうちの少なくとも１つ及び第２の導体のうちの少なくとも１つが、接地用の接地導体であり、信号導体及び接地導体のそれぞれが、筐体内に固定され、かつ筐体の横方向に沿って互いに交互に配置される接続部分を含み、一方のウェハの中の信号導体の接続部分が、ウェハの側面から見たときに、他方のウェハの接地導体の接続部分に面している。より具体的には、第１の導体のうちの少なくとも１つ及び第２の導体のうちの少なくとも１つが、信号伝送用の信号導体であり、第１の導体のうちの少なくとも１つ及び第２の導体のうちの少なくとも１つが、接地用の接地導体であり、第１のウェハの信号導体の第１の接触部分が、第２のウェハの接地導体の第２の接触部分に面するように構成され、一方、第１のウェハの接地導体の第１の接触部分が、ウェハの側面から見たときに、第２のウェハの信号導体の第２の接触部分に面するように構成される。更により具体的には、空隙が、パドルカードの少なくとも一部を収容するように構成され、そのパドルカードは、板状であり、第１の表面及び背中合わせの第２の表面を有し、かつパドルカードの第１の表面上に位置付けられた複数の第１の接触パッドと、パドルカードの反対の第２の表面上に位置付けられた複数の第２の接触パッドと、を含み、パドルカードが空隙の中に少なくとも一部収容されるとき、各第１の接触部分が、対応する第１の接触パッドと電気的に接触するように適合され、各第２の接触部分が、対応する第２の接触パッドと電気的に接触するように適合される。好適には、第１のウェハ及び第２のウェハのそれぞれが板状であり、かつ互いに隣り合わせに交互に配置されるように構成される。好適には、各ウェハが、プリント基板上に直立して取り付けられるように構成される。
【００１６】
より具体的には、各ウェハが、複数の第１の導体及び第２の導体のうちの少なくとも一部を各々密閉する筐体を含み、その筐体が、プリント基板上に取り付けられるように準備されるように構成された取り付け縁と、第１及び第２の接触部分が各々上に位置する嵌合縁と、を有する。好適には、嵌合縁は、取り付け縁と直交するか、又は平行である。
【００１７】
更に、各第１の導体及び各第２の導体は、取り付け部分を更に含み、取り付け部分は、取り付け縁上に位置し、かつプリント基板と電気的に接続されるように構成される。
【００１８】
電気レセプタクルコネクタは、第１及び第２のウェハのうちの少なくとも一部を収容するように構成されたレセプタクル筐体を更に備え、レセプタクル筐体が、空隙の延在方向と直交し、かつ第１及び第２のウェハを一緒に配置させる係合機構を有する頂壁又は／及び底壁を含む。別様には、レセプタクル筐体は、第１及び第２の接触部分を収容するように構成され得、レセプタクル筐体が、その第１の受容端に配設された少なくとも１つのレセプタクルポートと、その対向する第２の受容端に配設された少なくとも２列の接点受容開口と、を含み、１つのウェハの各接触部分が、１つの接点受容開口を通過するように構成され、第１及び第２のウェハのすべての対の接触部分が、１つのレセプタクルポート内に収容される。更に、レセプタクル筐体は、頂壁又は／及び底壁の内表面の上に配置され、かつ第１及び第２のウェハ（１１）をレセプタクル筐体（１４）の中に位置付けるように構成された複数の案内溝を含み得る。また、電気レセプタクルコネクタは、これらの第１及び第２のウェハをレセプタクル筐体の中に係止するために提供された複数の係止機構を更に備え得、各係止機構が、各ウェハ上に提供された突起と、レセプタクル筐体上に配設され、かつ突起と係合する、対応するロック溝と、を含む。加えて、電気レセプタクルコネクタは、第１及び第２の接触部分に対向する端部で、第１及び第２のウェハを少なくとも一部密閉するように構成された整列カバーを更に備え得、第１及び第２のウェハのすべてを整列カバーに係止するために、複数の係止機構が提供される。
【００１９】
本発明のまた別の態様によれば、電気プラグコネクタは、少なくとも１つのパドルカードであって、板状であり、第１の表面及び背中合わせの第２の表面を有し、かつパドルカードの第１の表面上に位置付けられた複数の第１の接触パッドと、第２の表面上に位置付けられた複数の第２の接触パッドと、を含む、少なくとも１つのパドルカードと、１つのパドルカードの一部又は全体をその中に収容するようにそれぞれが構成された少なくとも１つの開口を含むプラグ筐体と、を備え、プラグ筐体が、パドルカードを外部電子デバイスに電気的に接続させるために、外部電子デバイスと係合するように構成された機械的係合部を有する頂壁及び／又は底壁を含み、各パドルカードが、頂壁又は／及び底壁と直交する。例えば、機械的係合部は、頂壁又は／及び底壁の内表面上に位置付けられた少なくとも１つのリブ又は溝を各々有する。
【００２０】
特に、パドルカードは、少なくとも１つの電気ケーブルとの電気接続のために構成され、かつパドルカードの第１の表面及び第２の表面のうちの少なくとも一方の上に位置付けられ、それぞれが、第１の電気接触パッド及び第２の接触パッドのうちの少なくとも一方に電気接続されている、複数の電気接合パッドを含む。
【００２１】
更に、電気プラグコネクタは、プラグ筐体に取り外し可能に取り付けられ、かつパドルカードに結合されることになる少なくとも１つの電気ケーブルを受容するように構成されたケーブルシェルを更に備え得る。特に、ケーブルシェルは、前壁に隣接する先端と、対向する後端と、対向する後端から先端へと延在し、かつ複数のパドルカードに結合された電気ケーブルの末端部分を受容するように構成されたチャネルと、先端に位置付けられ、かつ複数のパドルカードをプラグ筐体の中に保持するように構成された一対の保持部材と、を含む。より具体的には、ケーブルシェルは、下部シェル部と、下部シェル部と取外し可能に係合された下部シェル部と、を含み、チャネルは、下部シェル部の中に配設される。
【００２２】
本発明の代替的な態様によれば、電気信号伝送システムは、本発明の一態様による電気レセプタクルコネクタと、本発明の一態様による電気プラグコネクタと、少なくとも１つの電気ケーブルと、プリント基板と、を備え、電気ケーブルが、電気プラグコネクタと電気的に接続され、電気プラグコネクタが、電気レセプタクルコネクタと電気的に接続され、電気レセプタクルコネクタが、プリント基板上に取り付けられ、かつプリント基板と電気的に接触される。
【００２３】
本発明の更に別の態様によれば、電気プラグコネクタ筐体は、プラグ筐体であって、それを貫通する複数の開口を有する前壁を含み、かつその中に複数のパドルカードを保持するように構成されたプラグ筐体と、プラグ筐体に取り外し可能に取り付けられ、かつ前壁に隣接する先端と、後端と、後端から先端へと延在し、かつ複数のパドルカードに電気的に接続された電気ケーブルの末端部分を受容するように構成されたチャネルと、先端に位置付けられ、かつ複数のパドルカードをプラグ筐体の中に保持するように構成された一対の保持部材と、を含む、ケーブルシェルと、を備える。
【００２４】
本発明の更に別の一態様によれば、コネクタが開示され、第２のウェハを含む。各ウェハが、筐体、複数の一対の信号導体、及び複数の接地導体を含む。筐体は、嵌合コネクタに面、基板の上に取り付けられるように構成された取り付け縁と直交するように構成された嵌合縁を含む。複数の一対の信号導体及び複数の接地導体が、筐体内に少なくとも一部固定され、かつ筐体の横方向に沿って互いに交互に配置される。各信号導体及び各接地導体が、嵌合コネクタの対応する接点と接触するための、筐体の外側及び筐体の嵌合縁にある接触部分と、基板上の対応する導電性トレースと接触するための、筐体の外側及び筐体の取り付け縁にある取り付け部分と、筐体内に配設され、接触部分を取り付け部分と接続する接続部分と、を含む。接続部分は、嵌合縁から取り付け縁へと延在する、対向する長手方向縁を有する。一方のウェハの中の各一対の信号導体の接触部分が、他方のウェハの中の異なる対応する接地導体の接触部分に面する。また、コネクタの側面から見られたときに、一対の信号導体の接触部分の長手方向縁が、異なる対応する接地導体の接触部分の長手方向縁の間に配設される。
【００２５】
本発明の更に別の一態様によれば、プラグコネクタ筐体が開示され、前部筐体部分、頂部筐体部分、底部筐体部分を含む。前部筐体部分は、頂壁と、底壁と、頂壁と底壁との間に延在する一対の対向する側壁と、垂直前方嵌合壁と、を含む。垂直前方嵌合壁は、頂壁と底壁と側壁との間に延在し、そこを貫通して延在する複数の離間垂直スロットを画定する。各垂直スロットが、回路基板を受容するように構成される。前部筐体部分が、頂壁と同一平面上にあり、かつ嵌合壁から前方に延在する頂部フランジと、底壁と同一平面上にあり、かつ嵌合壁から前方に延在する底部フランジと、を更に含む。少なくとも１つの第１の係合部材が、頂壁の裏側の側壁のうちの１つの上面上に配設される。少なくとも１つの第２の係合部材が、底壁の裏側の側壁のうちの１つの底面上に配設される。第３の係合部材が、頂壁及び底壁のうちの一方の内部表面上に配設される。頂部筐体部分は、頂壁と、頂壁から下向きに延在する一対の対向する側壁と、を含む。頂壁及び側壁が、複数の回路基板を受容するための空洞を画定する。第１のディバイダが、頂壁から下向きに延在し、かつ側壁の間に配設される。少なくとも１つの第１の係合部材が、頂壁の内部表面上及び前方に配設される。第２の係合部材が、頂壁の内部表面上に配設される。第１の位置決め穴が、ディバイダの底部に位置する。底部筐体部分は、底壁と、底壁から上向きに延在する一対の対向する側壁と、頂壁から上向きに延在し、かつ側壁の間に配設された第２のディバイダと、を含む。底部筐体部分は、上面上及び底壁の前方にある少なくとも１つの第１の係合部材と、ディバイダの頂部にある第１の位置決め穴と、を更に含む。前部筐体部分、頂部筐体部分、及び底部筐体部分は、前部筐体部分の少なくとも１つの第１の係合部材が、頂部筐体部分の少なくとも１つの第１の係合部材と係合し、前部筐体部分の少なくとも１つの第２の係合部材が、底部筐体部分の少なくとも１つの第１の係合部材と係合するように、可逆的に組み立てられる。頂部筐体部分の第１の位置決め穴を底部筐体部分の第１の位置決め穴と係合するように、ファスナが提供される。プラグコネクタ筐体は、少なくとも１つの回路基板を受容するように構成される。回路基板は、回路基板の縁に沿った第１及び第２の係合部材と、回路基板の前方にあるエッジコネクタと、を有する。各回路基板が、頂部フランジと底部フランジとの間に嵌合壁から前方に延在する回路基板のエッジコネクタとともに、対応する垂直スロット内に配設される。回路基板が良好に位置するとき、前部筐体部分の第３の係合部材が回路基板の第１の係合部材と係合し、頂部筐体部分の第２の係合部材が回路基板の第２の係合部材と係合する。
【００２６】
上記に係り、少なくとも一態様では、本発明は、高速かつ高密度の電気通信システムにおいて使用され得る電気相互接続システムを提供する。本発明の実施形態に従う電気プラグケーブルアセンブリは、従来の電気通信システムにおいて採用される信号伝送中の信号損失／信号減衰をもたらす、従来のバックパネルプリント基板に代わり得る。したがって、高速かつ高密度の電気通信システムにおける、本発明の態様による電気相互接続システム及びケーブルアセンブリの適用は、従来のバックパネルＰＣＢよりも低い信号損失／信号減衰の長距離信号伝送を達成し得、これは高密度の電気通信及び信号伝送に適している。更に、少なくとも一態様では、本発明は、電気相互接続システム用の電気レセプタクルコネクタ及び電気プラグケーブルアセンブリを提供する。また、少なくとも一態様では、本発明は、長距離かつ高密度の電気通信及び信号伝送に適した電気信号伝送システムを提供する。加えて、少なくとも一態様では、本発明は電気プラグコネクタ筐体を提供する。
【図面の簡単な説明】
【００２７】
本発明のこれらの及び／又は他の態様及び利点は、添付の図面とともに理解される以下の本発明の実施形態の説明から明白となり、容易に認識されよう。
【図１】本発明の一実施形態に従う、電気相互接続システムの概略透視図である。
【図２】図２ａ、２ｂ、２ｃは、本発明の一実施形態に従う、電気相互接続システムの概略側面図である。
【図３】本発明の一実施形態に従う、ＰＣＢが接続された電気レセプタクルコネクタの概略透視図である。
【図４】本発明の一実施形態に従う、電気レセプタクルコネクタの概略透視分解図である。
【図５】本発明の一実施形態に従う、電気ケーブルが接続された電気プラグコネクタの概略透視図である。
【図６】本発明の一実施形態に従う、電気プラグコネクタの概略透視分解図である。
【図７】本発明の一実施形態に従う、電気信号伝送システムの一用途の概略透視図である。
【図８】本発明の一実施形態に従う、電気信号伝送システムの別の用途の概略透視図である。
【図９】本発明の一実施形態に従う、電気コネクタの概略透視図である。
【図１０】図９に示されるコネクタのウェハの中に含まれる、いくつかの導体の概略図である。
【図１１】本発明の一実施形態に従う、プラグコネクタ筐体の概略透視図である。
【図１２】図１１に示される、プラグコネクタ筐体の前部筐体部分のわずかに角度がついた前面図である。
【００２８】
本発明の範囲は、図面の概略図、構成成分の数、構成成分の材料、構成成分の形状、構成成分の相対配置等に単に限定されず、単に実施形態の一例として開示される。
【発明を実施するための形態】
【００２９】
本発明の開示の例示の実施形態は、同様の参照番号が同様の要素を示す添付の図面を参照して以下に詳細に説明される。本開示はしかしながら、多くの異なる形態で具現化されてもよく、本明細書に説明される実施形態に限定されるべきではなく、むしろ本開示が徹底的かつ完全に、そして十分に本開示の概念を当該技術分野における当業者に伝達するように、本実施形態は提供される。
【００３０】
本発明の一態様は、長距離電気通信及び信号伝送において用いられることができる電気相互接続システムを提供する。図１〜図７を参照して、本発明の一実施形態に従う電気相互接続システムが提供される。
【００３１】
図１及び図２ａ〜図２ｃを参照して、本発明の一実施形態に従う電気相互接続システムは、パドルカード３０と、第１のウェハ１１ａと、第２のウェハ１１ｂと、を備える。パドルカード３０は板状であり、パドルカード３０の第１の表面３１上に位置付けられた複数の第１の接触パッド３３と、第１の表面３１に対して背中合わせの第２の表面３２上に位置付けられた複数の第２の接触パッド３４と、を含む。第１の表面３１はまた、パドルカード３０の前面とも称され得、第２の表面３２はまた、パドルカード３０の後面とも称され得る。第１のウェハ１１ａは、それぞれが第１の接触部分１３１ａを有する、複数の第１の導体１３ａを含み、第２のウェハ１１ｂは、それぞれが第２の接触部分１３１ｂを有する、複数の第２の導体１３ｂを含む。第１のウェハ１１ａ及び第２のウェハ１１ｂは、第１の接触部分１３１ａと第２の接触部分１３１ｂとを互いに向かい合わせにし、かつパドルカード３０の少なくとも一部を収容するための空隙１３１０をその間に形成することができるように一緒に組み立てられる（例えば、全体を形成する、又は隣接して位置付けられるように組み立てられる）。パドルカード３０が空隙１３１０の中に少なくとも一部収容されたとき、各第１の接触部分１３１ａが、対応する第１の接触パッド３３と電気的に接触するように適合され、各第２の接触部分１３１ｂが、対応する第２の接触パッド３４と電気的に接触するように適合される。
【００３２】
本開示の実施形態では、第１の接触部分１３１ａと第２の接触部分１３１ｂとの間の空隙は、パドルカード３０が力によって挿入されたときに形成され得、パドルカード３０がそこに収容される前に、第１の接触部分１３１ａと第２の接触部分１３１ｂとが互いに接触し得る。例えば、第１の接触部分１３１ａ及び第２の接触部分１３１ｂは、パドルカードの挿入を可能にするための、角度のついた引込部分を有し得、接触部分（１３１ａ、１３１ｂ）の他の部分はまっすぐであり得、互いに触れ合っている。または、第１のウェハ１１ａ及び第２のウェハ１１ｂは、パドルカード３０がそこに収容される前に、第１の接触部分１３１ａと第２の接触部分１３１ｂとの間にある特定の幅のスリットが存在するように組み立てられる。
【００３３】
本発明の他の実施形態に従う電気相互接続システムでは、電気ケーブル（電気ケーブルのアセンブリ５０等）による、異なるモジュール間（ＰＣＢ  ６０等）の高密度の電気通信及び信号伝送のために、多くのパドルカード３０並びに第１及び第２のウェハ１１ａ、１１ｂの多くの対応するユニットが提供される。
【００３４】
本発明の一実施形態によれば、図１及び図２ａ〜図２ｃに示されるように、１つの第１のウェハ１１ａ及び１つの第２のウェハ１１ｂが、電気相互接続システムにおいて１つのパドルカード３０と電気的に接続されるためのウェハユニットを構成する。図１及び図２ａ〜図２ｃを参照して、第１のウェハ１１ａ及び第２のウェハ１１ｂはそれぞれ、ほぼ長方形の板状であり、プリント基板６０に電気的に接続されるために、プリント基板６０上に直立して取り付けられるように構成される。第１のウェハ１１ａ及び第２のウェハ１１ｂはそれぞれ、信号伝送のための少なくとも１つの一対の信号導体及び少なくとも１つの接地用の接地導体を含む。ウェハユニットにおいて、第１のウェハ１１ａ及び第２のウェハ１１ｂは、第１のウェハ１１ａの信号導体が第２のウェハ１１ｂの接地導体に面し、一方で、第１のウェハ１１ａの接地導体が第２のウェハ１１ｂの信号導体に面するように配置される。これに対応して、いくつかのウェハユニットが互いに隣り合わせに提供される場合、１つのウェハユニットの中の第１のウェハ１１ａの信号導体が、隣接する１つのウェハユニットの中の第２のウェハ１１ｂの接地導体に面し、一方で１つのウェハユニットの中の第１のウェハ１１ａの接地導体が、別の隣接するウェハユニットの中の第２のウェハ１１ｂの信号導体に面する。
【００３５】
図１及び図２ａ〜図２ｃを参照して、ウェハユニットにおいて、第１のウェハ１１ａ及び第２のウェハ１１ｂのそれぞれが、信号導体とともに交互に配置される複数の信号伝送用の信号導体及び複数の接地用の接地導体を含む。別様には、ウェハユニットにおいて、第１のウェハ１１ａの信号導体が第２のウェハ１１ｂの対応する接地導体に面し、一方で第１のウェハ１１ａの接地導体が第２のウェハ１１ｂの対応する信号導体に面する。例えば、図１及び図２ａ〜図２ｃに示される実施形態では、１つのウェハ１１ａ又は１１ｂの中に交互に配置される８つの導体、すなわち、４つの信号導体及び４つの接地導体が存在する。もちろん、本発明の別の実施形態では、これらの導体の数は、１２又は１６など様々であり得る。
【００３６】
少なくとも一態様では、１つのウェハの中の接地導体は、同一のウェハの中の隣接する信号導体のためのアイソレータ及びリターンパスとして働く。少なくとも一態様では、１つのウェハの中の接地導体は、隣接する交互のウェハの中の信号導体のためのストリップ線路構造を形成するための基準面及びシールドとして働く。特定の信号導体について、同一のウェハ及び隣接する交互のウェハの中の接地導体の効果は、所望の特性インピーダンス及びクロストークアイソレーションの提供に貢献する。
【００３７】
信号導体の各導体１３、１３ａ、１３ｂ、及びウェハユニットのウェハ１１ａ又は１１ｂの中の接地導体が、接触部分１３１ａ又は１３１ｂを含む。つまり、上述したように、第１のウェハ１１ａは、それぞれが第１の接触部分１３１ａを有する複数の第１の導体１３ａを含み、第２のウェハ１１ｂが、それぞれが第２の接触部分１３１ｂを有する複数の第２の導体１３ｂを含む。また、１つのウェハユニットの中の第１のウェハ１１ａ及び第２のウェハ１１ｂが、第１の接触部分１３１ａと第２の１３１ｂとを互いに向かい合わせにし、パドルカード３０の少なくとも一部を収容するための空隙１３１０をその間に形成することができるように一緒に組み立てられる。
【００３８】
本明細書では、いくつかの実施形態では、１つのウェハユニットにおいて、第１のウェハ１１ａの第１の接触部分１３１ａ及び第２のウェハ１１ｂの第２の接触部分１３１ｂが、端部で反対の変形方向に構成され得る（空隙１３１０を形成するため）が、一方、第１のウェハ１１ａの中の各々の信号導体（パス）及び各々の接地導体（パス）が、第２のウェハ１１ｂの中の各々の接地導体（パス）及び各々の信号導体（パス）に面するように配置され、第１のウェハ１１ａ及び第２のウェハ１１ｂは、概して同一の外形であり、類似する（対向する）導体配置を有する。したがって、以下の記載及びその添付の図面では、明確さ及び簡潔さを目的として、数字「１１」の符号付きのウェハは、第１のウェハ１１ａ又は第２のウェハ１１ｂのどちらかを意味し、同様に、数字「１３」の符号付きの複数の導体（信号導体及び接地導体を含む）は、複数の第１の導体１３ａ又は複数の第２の導体１３ｂのどちらかを意味し、数字「１３１」の符号付きの接触部分は、第１の接触部分１３１ａ又は第２の接触部分１３１ｂ等を意味する。
【００３９】
図１及び図２ａ〜図２ｃに示されるように、電気相互接続システムにおいて、かかるウェハユニット（１つの第１のウェハ１１ａ及び１つの第２のウェハ１１ｂを含む）が提供され、プリント基板６０上に直立して取り付けられように構成されるので、少なくとも１つの実施形態では、高密度配置を実現するために、多くのウェハユニットがプリント基板６０上に隣り合わせに配置され得る。
【００４０】
本発明の一実施形態によれば、各ウェハ１１（１１ａ、１１ｂ）が、複数の導体１３（すなわち、複数の第１の導体１３ａ及び複数の第２の導体１３ｂ）のうちの少なくとも一部をその中に各々密閉する筐体１２を有する。各筐体１２は、ウェハがプリント基板６０上に取り付けられることになる取り付け縁１２２と、接触部分１３１（すなわち、第１の接触部分１３１ａ及び第２の接触部分１３１ｂ）が位置する嵌合縁１２１と、を有する。少なくとも１つの実施形態では、嵌合縁１２１は、取り付け縁１２２と直交するか、又は平行である。例えば、図２ａ〜図２ｃに示される実施形態では、ウェハ１１の筐体１２は実質的に長方形であり、嵌合縁１２１は取り付け縁１２２と直交する。しかし、本発明の他の実施形態では、筐体１２の嵌合縁１２１は、取り付け縁１２２に対して任意の角度であり得る。
【００４１】
導体１３のそれぞれが取り付け部分１３３を含み、取り付け部分１３３は筐体１２の取り付け縁１２２に位置し、かつプリント基板６０と電気的に接続されるように構成される。導体１３のそれぞれが、筐体１２内に配置され、かつ接触部分１３１を取り付け部分１３３と接続する接続部分１３２を更に含む。少なくとも１つの実施形態では、信号導体及び接地導体のそれぞれが、筐体１２内に固定され、筐体１２の横方向に沿って互いに交互に配置される接続部分１３２を有し、一方のウェハ１１ａ又は１１ｂの中の信号導体の接続部分１３２が、ウェハの側面から見たときに、他方のウェハ１１ｂ又は１１ａの中の接地導体の接続部分１３２に面する。また、１つのウェハユニットにおいて、第１のウェハ１１ａ及び第２のウェハ１１ｂのそれぞれの信号導体及び接地導体が交互に配置される。
【００４２】
図１及び図２ａ〜図２ｃを参照して、上述したように、パドルカード３０は、第１の表面３１上に位置付けられた複数の第１の接触パッド３３と、反対側の第２の表面３２上に位置付けられた複数の第２の接触パッド３４と、を含む。更に、パドルカード３０は、少なくとも１つの電気ケーブル５０との電気接続のために構成された複数の電気接合パッド３５を含み得る。図１及び図２ａ〜図２ｃに示されるように、これらの電気接合パッド３５は、パドルカード３０の第１の表面３１及び第２の表面３２のうちの少なくとも一方の上に位置付けられ、かつそれぞれが第１の接触パッド３３と第２の接触パッド３４のうちの少なくとも一方と電気的に接続されている。例えば、図２ａ〜図２ｃに示される実施形態では、これらの電気接合パッド３５は、パドルカード３０の第１の表面３１の各々の第１の接触パッド３３、及びパドルカード３０の第２の表面３２の各々の第２の接触パッド３４に電気的に接続される一方で、パドルカード３０の第１の表面３１上に位置付けられる。パドルカード３０は、例えば複数の電気接合パッド３５の両外端に提供され、接地のために構成される、一対の電気接地パッド３６を更に含み得る。
【００４３】
本発明の一実施形態によれば、図１及び図２ａ〜図２ｃを参照して、電気相互接続システムは、第１の電気接合パッド３５と各々電気的に接続される、少なくとも１つの電気ケーブル５０を更に備え得る。少なくとも１つの実施形態では、少なくとも１つの電気ケーブル５０が、リボンケーブルとして具現化され得る。少なくとも１つの電気ケーブル５０が、同軸ケーブル、ツインアキシャルケーブル、シールドケーブル、及び非シールドケーブルを含むがこれらに限定されない、任意の適切なケーブル構成を有し得る。
【００４４】
本発明の一実施形態によれば、図１を参照して、電気相互接続システムは、１つ以上のプリント基板６０を備え得る。第１のウェハ１１ａ及び第２のウェハ１１ｂの１つ以上のユニットが、プリント基板６０上に隣り合わせに配置され得るように、第１及び第２のウェハ１１ａ、１１ｂが、プリント基板６０上に直立して取り付けられ、プリント基板６０と電気的に接触する。この取り付け及び配置は、高密度の信号伝送を達成するためにウェハユニットを拡大することを可能にする。
【００４５】
次に、図２ａ〜図２ｃ、図３、及び図４を参照して、本発明の一実施形態に従う電気レセプタクルコネクタ１０が提供される。電気レセプタクルコネクタ１０は、少なくとも１つの第１のウェハ１１ａ及び少なくとも１つの第２のウェハ１１ｂを備える。各第１のウェハ１１ａが、それぞれが第１の接触部分１３１ａを有する複数の第１の導体１３ａを含む。各第２のウェハ１１ｂが、それぞれが第２の接触部分１３１ｂを有する複数の第２の導体１３ｂを含む。１つの第１のウェハ１１ａ及び１つの第２のウェハ１１ｂは、第１の接触部分１３１ａと、対応する第２の接触部分１３１ｂとを互いに向かい合わせにし、かつ空隙１３１０をその間に形成することができるようにするために、一緒に組み立てられる（隣接して位置付けられることを含む）。別様には、第１及び第２のウェハ１１ａ、１１ｂは、互いに隣り合わせに交互に配置され、１つの第１のウェハ及び１つの第２のウェハが、空隙１３１０に電気レセプタクルコネクタ１０に結合されることになるパドルカード３０を受容させるように構成される、ウェハユニットを構成する。別様には、空隙１３１０が、パドルカード３０のうちの少なくとも一部を収容するように構成される。
【００４６】
パドルカード３０は、パドルカード３０の第１の表面３１上に位置付けられた複数の第１の接触パッド３３と、パドルカード３０の反対側の第２の表面３２上に位置付けられた複数の第２の接触パッド３４と、を含む。パドルカード３０が空隙１３１０の中に少なくとも一部収容されたとき、各第１の接触部分１３１ａが、対応する第１の接触パッド３３と電気的に接触するように適合され、各第２の接触部分１３１ｂが、対応する第２の接触パッド３４と電気的に接触するように適合される。
【００４７】
本発明の一実施形態によれば、第１のウェハ１１ａ及び第２のウェハ１１ｂのそれぞれが板状であり、かつ互いに隣り合わせに交互に配置されるように構成される。少なくとも一態様では、各ウェハ１１が、プリント基板６０上に取り付けられるように構成される。少なくとも一態様では、各ウェハ１１が、複数の導体１３のうちの少なくとも一部を各々密閉する筐体１２を含み、筐体１２が、プリント基板６０上にウェハが取り付けられることになる取り付け縁１２２と、第１及び第２の接触部分１３１ａ、１３１ｂが各々位置する嵌合縁１２１と、を含む。少なくとも一態様では、嵌合縁１２１は、取り付け縁１２２と直交するか、又は平行である。例えば、図２ａ〜図２ｃに示される実施形態では、ウェハ１１の筐体１２は実質的に長方形であり、嵌合縁１２１は取り付け縁１２２と直交する。
【００４８】
導体１３のそれぞれが、取り付け部分１３３を含み、取り付け部分１３３が、取り付け縁１２２に位置し、かつプリント基板６０と電気的に接続されるように構成される。また、導体１３のそれぞれもまた、筐体１２内に配置され、かつ接触部分１３１を取り付け部分１３３と接続する接続部分１３２を含む。特に、対応する導電性トレース６１をプリント基板６０上に接触させるために、導体１３の接触部分１３１が、筐体１２の外側の嵌合縁１２１に、取り付け部分１３３が、筐体１２の外側の取り付け縁１２２に提供され、接続部分１３２が筐体１２内に配置され、接触部分１３１を取り付け部分１３３と接続する。言い換えると、電気レセプタクルコネクタ１０は、いくつかの上述したウェハユニットのアセンブリであり得る。
【００４９】
本発明の一実施形態によれば、図３及び図４を参照して、電気レセプタクルコネクタ１０は、第１及び第２のウェハのうちの少なくとも一部をその中に収容するように構成されたレセプタクル筐体１４を更に備え得る。別様には、レセプタクル筐体１４は、第１及び第２のウェハ１１ａ、１１ｂの第１及び第２の接触部分１３１ａ、１３１ｂを収容するように構成される。レセプタクル筐体１４は、その第１の受容端１４８に配設された少なくとも１つのレセプタクルポート１４１と、その対向する第２の受容端１４９に配設された少なくとも２列の接点受容開口１４２と、を含む。１つのウェハ１１の各接触部分１３１が、１つの接点受容開口１４２を通過するように構成され、すべての対の第１及び第２のウェハ１１ａ、１１ｂの接触部分１３１が、１つのレセプタクルポート１４１内に収容される。例えば、したがって、図２及び図３に示される実施形態では、電気レセプタクルコネクタ１０の中に互いに配置された４つのウェハユニット（すなわち、４つの第１のウェハ１１ａ及び４つの第２のウェハ１１ｂ）が存在し、これに対応して、４つのレセプタクルポート１４１及び８列の接点受容開口１４２が、レセプタクル筐体１４の中に配置される。２列毎の接点受容開口１４２が、１つの対応するレセプタクルポート１４１と相互通信される。少なくとも１つの実施形態では、電気レセプタクルコネクタ１０の嵌合コネクタ、例えば、上記に記載したように、パドルカード３０とのスムーズな接続のために、案内縁１４４（図３に示される）がこれらのレセプタクルポート１４１上に配置される。
【００５０】
レセプタクル筐体１４は、空隙１３１０の延在方向と直交し、第１及び第２のウェハ１１ａ、１１ｂを一緒に配置させるための係合機構を有する、頂壁及び底壁１４３を含む。係合機構は、接触部分１３１を接点受容開口１４２の対応する列の中に案内し、位置付けるために、レセプタクル筐体１４の頂壁及び底壁１４３の一方又は両方の内表面上に配置され、第１及び第２のウェハ１１をレセプタクル筐体１４の中に位置付けるように構成された複数の第１の案内溝１４５含み得る。別様には、複数の二次的案内溝１４６は、頂壁及び底壁１４３の両方の外表面上に配置され得る。二次的案内溝は、レセプタクル筐体１４が、対応する嵌合コネクタと嵌め合うことを補助するように働き、例えば、嵌合コネクタに対する嵌め合いの間に電気レセプタクルコネクタ１０を案内するように働く。案内構造の提供は、レセプタクル筐体１４とこれらのウェハユニットとの間のスムーズな接続を補助する。
【００５１】
別様には、図３及び図４を参照して、これらのウェハ１１のレセプタクル筐体１４の中への保持のために、これらの第１及び第２のウェハ１１をレセプタクル筐体１４の中に係止するための複数の係止機構が提供される。各係止機構は、各ウェハ１１上に提供される突起１１１を含み得、対応するロック溝１４７はレセプタクル筐体１４上に配置され、突起１１１と係合し得る。別様には、突起１１１は、取り付け縁１２２、及び／又はウェハ１１の筐体１２の取り付け縁１２２に対向する縁１２４に提供され得、対応するロック溝（貫通孔）１４７は、レセプタクル筐体１４の対応する第１の案内溝１４５上に配置され得、突起１１１と係合し得る。
【００５２】
本発明の一実施形態によれば、電気レセプタクルコネクタ１０は、第１及び第２のウェハ１１ａ、１１ｂの保護及び位置付けを補助するために、第１及び第２の接触部分の反対側の縁で、これらのウェハ１１の少なくとも一部を密閉するように構成された整列カバー１５を更に備え得る。図３及び図４に示されるように、整列カバー１５は、少なくとも嵌合縁１２１の反対側の縁１２３、及び１つのウェハ１１の筐体１２の取り付け縁１２２の反対側の縁１２４を覆うように提供される。第１及び第２のウェハ１１のうちのすべてを整列カバー１５に係止するために、複数の係止機構が提供され得る。図４を参照して、例えば、係止機構は、それぞれが各ウェハ１１の筐体１２の取り付け縁１２２の反対側の縁１２４に提供される、複数の第１の突起１１２と、対応する第１の突起１１２との係合のためにそれぞれが整列カバー１５上に配置される、複数の第１の対応するロック貫通孔１５１と、を含み得る。係止機構は、それぞれが取り付け縁１２２の反対側の縁１２４と、各ウェハ１１の筐体１２の嵌合縁１２１の反対側の縁１２３との間の角に提供される、複数の第２の突起１１３と、対応する第２の突起１１３との係合のためにそれぞれが整列カバー１５の対応する場所に配置される、複数の対応する第２のロック貫通孔１５２と、を更に含み得る。係止機構は、それぞれが各ウェハ１１の筐体１２の嵌合縁１２１の反対側の縁１２３の上に提供される、複数の第３の棒状突起１１４と、対応する第３の棒状突起１１４との係合のためにそれぞれが整列カバー１５の対応する場所上に配置される、複数の対応する第３のロックスロット１５３と、を更に含み得る。
【００５３】
図５及び図６を参照して、本発明の一実施形態に従う、上記の電気レセプタクルコネクタ１０と嵌合可能な電気プラグコネクタ２０が提供される。電気プラグコネクタ２０は、少なくとも１つのパドルカード３０と、プラグ筐体２２と、を備える。図２ａ〜図２ｃに示されるように、各パドルカード３０が、パドルカード３０の第１の表面３１上に位置付けられた複数の第１の接触パッド３３と、パドルカード３０の反対側の第２の表面３２上に位置付けられた複数の第２の接触パッド３４と、を含む。図５及び図６に戻り、プラグ筐体２２は、その中にパドルカード３０の一部又は全体を収容するように構成された少なくとも１つの開口２２０を含む。プラグ筐体２２は、パドルカード３０を外部電子デバイス（例えば電気ケーブル５０等）と電気的に接続させるために、外部電子デバイスと係合するように構成された機械的係合部を有する、対向する頂壁及び底壁２２２を更に含む。各パドルカード３０は、頂壁及び底壁２２２に直交して配置される。
【００５４】
パドルカード３０は、電気ケーブル５０に電気的に結合され得、電気レセプタクルコネクタ１０と電気的に接触され得る。図２ａ〜図２ｃに示すように、パドルカード３０は、パドルカード３０の第１の表面３１上に位置付けられた複数の第１の電気接触パッド３３と、パドルカード３０の対向する第２の表面３２上に位置付けられた複数の第２の電気接触パッド３４と、を含む。これらの電気接触パッド３３、３４のそれぞれが、電気レセプタクルコネクタ１０の中で、各導体１３の１つの接触部分１３１と電気的な接続を作るように構成される。パドルカード３０は、少なくとも１つの電気ケーブル５０との電気接続のために構成され、パドルカード３０の第１の表面３１及び第２の表面３２のうちの少なくとも一方の上に位置付けられ、かつそれぞれがパドルカード３０の第１の電気接触パッド３３及び第２の接触パッド３４に電気的に接続されている、複数の電気接合パッド３５を更に含む。これらの電気接合パッド３５は、パドルカード３０に結合される電気ケーブル５０の末端部分５１を受容するように構成される。別様には、パドルカード３０は、パドルカード３０の第１の表面３１上に位置付けられ、それぞれが第１の電気接触パッド３３に電気的に接続される複数の第１の電気接合パッド３５と、パドルカード３０の対向する第２の表面３２上に位置付けられ、それぞれが第２の電気接触パッド３４に電気的に接続されている、複数の第２の電気接合パッド（図示せず）と、を含み得る。第１及び／又は第２の電気接触パッド３３、３４は、パドルカード３０に結合される電気ケーブル５０の末端部分５１を受容するように構成される。加えて、パドルカード３０は、複数の電気ケーブルパッド３５の両方の外側面に提供され、接地のために構成される、一対の電気接地パッド３６を更に含み得る。
【００５５】
図６を参照して、プラグ筐体２２は、その間に複数の開口２２０を有する前壁２２１を含み得、各開口がプラグ筐体２２の中に１つのパドルカード３０を受容するように構成される。
【００５６】
レセプタクル筐体１４の頂壁及び底壁１４３に対応する頂壁及び底壁２２２は、プラグ筐体２２の両端から延在する。機械的係合部は、頂壁及び底壁２２２の両方の内部表面２２２０上に各々配置された複数のリブ２２３を有する。プラグ筐体２２のリブ２２３は、プラグ筐体２２とレセプタクル筐体１４とが互いにスムーズに接続されるように、レセプタクル筐体１４の対応する二次的案内溝１４６との係合のために構成される。
【００５７】
図６を参照して、電気プラグコネクタ２０は、プラグ筐体２２に取り外し可能に取り付けられ、かつパドルカード３０に結合されることになる少なくとも１つの電気ケーブル５０を受容するように構成されたケーブルシェル４０を更に備え得る。
【００５８】
ケーブルシェル４０は、前壁２２１に隣接する先端４１と、対向する後端４２と、後端４２から先端４１へと延在し、かつ複数のパドルカード３０に結合された電気ケーブル５０の末端部分５１を受容するように構成されたチャネル４３と、先端４１に位置付けられ、かつ複数のパドルカード３０をプラグ筐体２２の中に保持するように構成された一対の保持部材４４と、を含む。一対の保持部材４４は、ケーブルシェル４０の頂壁４４１の内部表面４４１０上に配置されたいくつかの頂壁保持部材４４ａと、ケーブルシェル４０の底壁４４２の内部表面４４２０上に配置されたいくつかの対応する底壁保持部材４４ｂと、を含む。好適には、１つのパドルカード３０をプラグ筐体２２の中に保持することができるように、１つのパドルカード３０の両方の外側面端部に各々配設された、対応する保持溝と係合するための一対の頂壁及び底壁保持部材４４が提供される。例えば、図６に示される実施形態では、４つのパドルカード３０をプラグ筐体２２の中に各々保持するための４つの対の頂壁及び底壁保持部材４４が提供される。
【００５９】
プラグ筐体２２をケーブルシェル４０に係止するための保持用機械的配置が提供され得る。例えば、保持用機械的配置は、プラグ筐体２２の後端（すなわち、図６に示されるプラグ筐体２２の後端の両方の外側面端部）に配設された一対の保持用溝２２４と、ケーブルシェル４０の２つの保持部材４４（すなわち、最も外側の一対の保持部材４４）と、を含み得る。一対の保持用溝２２４、及び最も外側の一対の保持部材４４は、プラグ筐体２２とケーブルシェル４０とを一緒に取り付けることができるように、互いに対して係合する。保持用機械的配置は、プラグ筐体２２とケーブルシェル４０とを一緒に取り付ける際に追加の安全性を提供するために、頂壁の内部表面上及びケーブルシェル４０の底壁上に各々配置された一対の保持ピン４９を更に含み得る。
【００６０】
図６に示されるように、ケーブルシェル４０は、下部シェル部４５と取り外し可能に係合された下部シェル部４５及び上部シェル部４６を含む。チャネル４３は、下部シェル部４５の中に配置される。更に、複数のロック部材４７（例えば、先端４１に１つ、一方で、対向する後端４２に２つ）が、下部シェル部４５のチャネル４３の中に配置される。複数の対応するロック穴４８（例えば、対応するように、先端４１に１つ、一方で、対向する後端４２に２つ）が、上部シェル部４６の中に配置される。下部シェル部４５及び上部シェル部４６は、ファスナがロック穴４８を通って、対応するロック部材４７の中へ延在して提供されるとき、分離可能に一緒に固定される。
【００６１】
本発明の原理及び趣旨に従い、本発明の一実施形態はまた、高速信号伝送のための電気信号伝送システムを提供する。
【００６２】
図７は、本発明の一実施形態による電気信号伝送システムの一用途を示す。図７を参照して、電気信号伝送システムは主に、２つの電気的にレセプタクルであるコネクタ１０と、それぞれが中に複数のパドルカード３０を有し、かつ対応する電気レセプタクルコネクタ１０と接続可能な２つの電気プラグコネクタ２０と、電気ケーブルのアセンブリ５０と、２つのプリント基板６０と、を備える。各電気レセプタクルコネクタ１０は、ウェハユニットの中の各ウェハが、対応するプリント基板６０上に取り付けられ、かつ対応するプリント基板６０と電気的に接触される一方、隣り合わせに配置された４つのウェハユニットを含む。電気ケーブルのアセンブリは、２つの電気プラグコネクタ２０の間で電気的に接続するために提供される。また、２つの電気プラグコネクタ２０のそれぞれが、これらのウェハユニット及びこれらの対応するパドルカード３０の間の電気的接続により、対応する電気レセプタクルコネクタ１０と電気的に接続する。このように、これらのプリント基板（ＰＣＢ）６０は、電気レセプタクルコネクタ１０と、対応する電気プラグコネクタ２０との間の電気的接続を通じて、電気ケーブルのアセンブリ５０によって電気的に接続される。したがって、少なくとも一態様では、この電気信号伝送システムは、従来のバックパネルＰＣＢよりも低い信号損失／信号減衰の長距離信号伝送を提供し得る。
【００６３】
図８は、本発明の一実施形態に従う、電気信号伝送システムの別の用途を示す。電気信号伝送システムは主に、３つの個別のプリント基板６０Ａ、６０Ｂ、６０Ｃ上に各々取り付けられ、かつそれらと電気的に接続される、３つの電気レセプタクルコネクタ１０Ａ、１０Ｂ、１０Ｃ（図８に示されるように、１つのコネクタが８つのウェハユニットを有する一方で、特に２つのコネクタが４つのウェハユニットを有する）と、複数の対応するパドルカード３０が中に提供される、３つの電気プラグコネクタ２０Ａ、２０Ｂ、及び２０Ｃと、を備える。それぞれが各々のケーブルシェル４０によって覆われる３つの電気プラグコネクタ２０Ａ、２０Ｂ、及び２０Ｃは、２つの電気ケーブル５０Ａ及び５０Ｂによって電気的に接続される。図示される実施形態では、電気プラグコネクタ２０Ａ及び２０Ｃは、電気ケーブル５０Ａによって電気的に接続され、電気プラグコネクタ２０Ｂ及び２０Ｃは、電気ケーブル５０Ｂによって電気的に接続される。図８に示される電気信号伝送システムでは、３つの電気プラグコネクタ２０Ａ、２０Ｂ、及び２０Ｃは、対応する電気レセプタクルコネクタ１０Ａ、１０Ｂ、及び１０Ｃと各々接続可能であり、電気信号伝送システムを達成する。
【００６４】
ゆえに、本発明の実施形態に従う電気信号伝送システムは、高密度の電気通信及び信号伝送に適している。更に、高速かつ高密度の電気通信システムにおける本発明の態様に従う電気コネクタ及びケーブルアセンブリの適用は、従来のバックパネルＰＣＢよりも低い信号損失／信号減衰の長距離信号伝送を達成し得る。
【００６５】
本発明の代替的な態様によれば、電気プラグコネクタ筐体が提供される。電気プラグコネクタ筐体は、それを貫通する複数の開口２２０を有する前壁２２１を含み、中に複数のパドルカード３０を保持するために構成されたプラグ筐体２２と、プラグ筐体２２に取り外し可能に取り付けられ、かつ前壁に隣接する先端４１を含むケーブルシェル４０と、後端４２と、後端から先端へと延在し、かつ複数のパドルカードに電気的に接続された電気ケーブル５０の末端部分を受容するように構成されたチャネル４３と、先端に位置付けられ、かつ複数のパドルカードをプラグ筐体の中に保持するように構成された一対の保持部材４４と、を含む。
【００６６】
本発明の代替的な態様によれば、一実施形態では、コネクタが開示される。図９及び図１０に示されるように、コネクタ１００は、少なくとも１つの第１のウェハ１１ａと、少なくとも１つの第２のウェハ１１ｂと、を含む。各ウェハ１１ａ、１１ｂが、筐体１２と、複数の一対の信号導体１３ｃ、１３ｄと、複数の接地導体１４と、を含む。筐体１２は、嵌合コネクタ（例えば、パドルカード）に面するように構成され、基板（例えば、プリント基板）の上に取り付けられるように構成された取り付け縁１２２と直交する、嵌合縁１２１を含む。複数の一対の信号導体１３ｃ、１３ｄ、及び複数の接地導体１４が、少なくとも一部筐体１２内に固定され、筐体１２の横方向に沿って互いに交互に配置される。
【００６７】
各信号導体１３ｃ、１３ｄ、及び各接地導体１４が、接触部分１３８、１３９、１４９と、取り付け部分１３６、１３７、１４８と、接続部分１３４、１３５、１４７と、を含む。接触部分１３８、１３９、１４９は、嵌合コネクタの対応する接点に接触するための、筐体１２の外側の嵌合縁１２１にある。嵌合コネクタは、上述したように、電気プラグコネクタであり得る。取り付け部分１３６、１３７、１４８は、対応する導電性トレースを基板上に接触するための、筐体の外側の取り付け縁１２２にある。接続部分１３４、１３５、１４７は、筐体１２内に配置され、接触部分１３８、１３９、１４９を取り付け部分１３６、１３７、１４８と接続する。
【００６８】
接続部分１３４、１３５、１４７は、嵌合縁１２１から取り付け縁１２２へと延在する、対向する長手方向縁１３４ａ、１１３４ｂ；１３５ａ、１３５ｂ；１４７ａ、１４７ｂを有する。１つのウェハの中の信号導体１３ｃ、１３ｄの各対の接触部分１３８、１３９が、他方のウェハの中の異なる対応する接地導体１４の接触部分１４９に面する。コネクタの側面から見られたとき、一対の信号導体１３ｃ、１３ｄの接触部分１３８、１３９の長手方向縁１３８ａ、１３９ｂが、異なる対応する接地導体１４の接触部分１４９の長手方向縁１４９ａ、１４９ｂの間に配置される。
【００６９】
本発明の代替的な態様によれば、一実施形態では、プラグコネクタ筐体５００が開示される。図１１及び図１２に示されるように、プラグコネクタ筐体５００は、前部筐体部分６００と、頂部筐体部分７００と、底部筐体部分８００と、を含む。
【００７０】
前部筐体部分６００は、頂壁６１０と、底壁６２０と、頂壁と底壁との間に延在する一対の対向側壁６３０と、垂直前方嵌合壁６４０と、を含む。垂直前方嵌合壁６４０は、頂壁、底壁、及び側壁の間に延在し、そこを通って延在する複数の離間垂直スロット６５０を画定する。各垂直スロット６５０が、回路基板４００を受容するように構成される。
【００７１】
前部筐体部分６００は、頂壁と同一平面上にあり、嵌合壁から前方に延在する頂部フランジ６６０と、底壁と同一平面上にあり、嵌合壁から前方に延在する底部フランジ６６５と、を更に含む。少なくとも１つの第１の係合部材６７０（例えば、ノッチ）が、頂壁の裏側にある側壁のうちの１つの上面上に配置される。少なくとも１つの第２の係合部材６８０（例えば、ノッチ）が、底壁の裏側にある側壁のうちの１つの底面上に配置される。第３の係合部材６９０が、頂壁及び底壁のうちの１つの内部表面上に配置される。
【００７２】
頂部筐体部分７００は、頂壁７１０と、頂壁から下向きに延在する一対の対向する側壁７２０と、を含む。頂壁及び側壁が、複数の回路基板４００を受容するための空洞７３０を画定する。第１のディバイダ７４０が、頂壁７１０から下向きに延在し、側壁７２０の間に配置される。少なくとも１つの第１の係合部材７５０（例えば、隆起）が、内部表面上及び頂壁７１０の前部に配置される。第２の係合部材７６０（例えば、隆起）が、頂壁７１０の内部表面上に配置される。第１の位置決め穴７７０が、ディバイダの底に位置する。
【００７３】
底部筐体部分８００は、底壁８１０と、底壁から上向きに延在する一対の対向する側壁８２０と、頂壁８１０から上向きに延在し、側壁８２０の間に配置された第２のディバイダ８３０と、を含む。底部筐体部分８００は、底壁８１０の上面及び前部にある少なくとも１つの第１の係合部材（例えば、隆起）８４０と、ディバイダの頂部上にある第１の位置決め穴８５０と、を更に含む。
【００７４】
前部、頂部、及び底部筐体部分は、前部筐体部分の少なくとも１つの第１の係合部材６７０が頂部筐体部分の少なくとも１つの第１の係合部材７５０と係合するように、また前部筐体部分の少なくとも１つの第２の係合部材６８０が、底部筐体部分の少なくとも１つの第１の係合部材８４０と係合するように、可逆的に組み立てられる。頂部筐体部分の第１の位置決め穴７７０を底部筐体部分の第１の位置決め穴８５０と係合するためのファスナが提供される。
【００７５】
プラグコネクタ筐体は、少なくとも１つの回路基板４００を受容するように構成される。回路基板４００は、回路基板及びエッジコネクタ４３０の縁に沿う第１の係合部材４１０及び第２の係合部材４２０を回路基板の前部に有する。回路基板のエッジコネクタ４３０が頂部フランジ６６０と底部６６５フランジとの間の嵌合壁６４０から前方に延在して、各回路基板が、対応する垂直スロット６５０内に配置される。図１１に示される一例として、プラグコネクタ筐体は４つの垂直スロット６５０を有し、最大４つの回路基板４００を受容するように構成される。かかる回路基板４００のうちの３つが、スロット６５０の中に例示的に位置している。回路基板４００が良好に位置するとき、前部筐体部分の第３の係合部材６９０が回路基板の第１の係合部材４１０と係合し、頂部筐体部分の第２の係合部材７６０が回路基板の第２の係合部材４２０と係合する。
【００７６】
一例として、上述のパドルカード３０が回路基板４００として選択され得る。
【００７７】
上記に係り、本発明の一実施形態は、電気相互接続システム及びかかる電気相互接続システムのための電気コネクタ（すなわち、電気レセプタクルコネクタ及び電気プラグケーブルアセンブリ）を提供し、これらは高速かつ高密度の電気通信システムにおいて用いられ得る。本発明に従う電気プラグケーブルアセンブリは、従来の電気通信システムにおいて採用される信号伝送中の信号損失／信号減衰をもたらす、従来のバックパネルプリント基板に代わり得る。したがって、高速かつ高密度の電気通信システムにおける、本発明の態様に従う電気コネクタアセンブリの適用は、低い信号損失／信号減衰及び長距離信号伝送を達成し得、これは高密度の電気通信及び信号伝送に適している。更に、少なくとも一態様では、本発明は、長距離かつ高密度の電気通信及び信号伝送に適した電気信号伝送システムを提供する。少なくとも一態様では、本発明は、かかる電気相互接続システムにおいて電気コネクタの中に採用される電気プラグコネクタ筐体を更に提供し得る。
【００７８】
上述したように、いくつかの実施形態では、２つのウェハの中の信号導体と接地導体の向かい合わせの配置及び１つのウェハの中の信号導体と接地導体の交互の配置は、隣接する信号導体からの電磁干渉の少なくとも一部を遮断することを補助し得、結果的にＥＭＩを低減し、信号伝送品質を向上する。
【００７９】
いくつかの例示の実施形態が示され、記述されてきたが、本開示の範囲は請求項及びそれらの同等物において定義され、本開示の原理及び趣旨から逸脱することなく、これらの実施形態に様々な変更又は修正がなされてもよいということは、当業者によって十分理解されるであろう。
【図１】
2019106392.tif 000003
【図２】
2019106392.tif 000004
【図３】
2019106392.tif 000005
【図４】
2019106392.tif 000006
【図５】
2019106392.tif 000007
【図６】
2019106392.tif 000008
【図７】
2019106392.tif 000009
【図８】
2019106392.tif 000010
【図９】
2019106392.tif 000011
【図１０】
2019106392.tif 000012
【図１１】
2019106392.tif 000013
【図１２】
2019106392.tif 000014
【手続補正書】
【提出日】平成31年4月3日(2019.4.3)
【手続補正１】
【補正対象書類名】特許請求の範囲
【補正対象項目名】全文
【補正方法】変更
【補正の内容】
【特許請求の範囲】
【請求項１】
プラグコネクタ筐体（５００）であって、
前部筐体部分（６００）であって、
頂壁（６１０）と、
底壁（６２０）と、
前記頂壁と前記底壁との間に延在する一対の対向する側壁（６３０）と、
前記頂壁と前記底壁と前記側壁との間に延在する垂直前方嵌合壁（６４０）であって、そこを貫通して延在する複数の離間垂直スロット（６５０）を画定し、各垂直スロットが、回路基板（４００）を受容するように構成される、垂直前方嵌合壁（６４０）と、
前記頂壁と同一平面上にあり、かつ前記嵌合壁から前方に延在する頂部フランジ（６６０）と、
前記底壁と同一平面上にあり、かつ前記嵌合壁から前方に延在する底部フランジ（６６５）と、
前記頂壁の裏側の前記側壁のうちの１つの上面上に配設された少なくとも１つの第１の係合部材（６７０）と、
前記底壁の裏側の前記側壁のうちの１つの底面上に配設された少なくとも１つの第２の係合部材（６８０）と、
前記頂壁及び前記底壁のうちの一方の内部表面上に配設された第３の係合部材（６９０）と、を含む、前部筐体部分（６００）と、
頂部筐体部分（７００）であって、
頂壁（７１０）と、
前記頂壁から下向きに延在する一対の対向する側壁（７２０）であって、前記頂壁及び側壁が、複数の回路基板（４００）を受容するための空洞（７３０）を画定する、一対の対向する側壁（７２０）と、
前記頂壁から下向きに延在し、かつ前記側壁の間に配設されたディバイダ（７４０）と、
前記頂壁の内部表面上及び前方に配設された少なくとも１つの第１の係合部材（７５０）と、
前記頂壁の内部表面上に配設された第２の係合部材（７６０）と、
前記ディバイダの底部にある第１の位置決め穴（７７０）と、を含む、頂部筐体部分（７００）と、
底部筐体部分（８００）であって、
底壁（８１０）と、
前記底壁から上向きに延在する一対の対向する側壁（８２０）と、
前記頂壁から上向きに延在し、かつ前記側壁の間に配設されたディバイダ（８３０）と、
上面上及び前記底壁の前方にある少なくとも１つの第１の係合部材（８４０）と、
前記ディバイダの頂部にある第１の位置決め穴（８５０）と、を含む、底部筐体部分（８００）と、を備え、
前記前部筐体部分、前記頂部筐体部分、及び前記底部筐体部分が、
前記前部筐体部分の前記少なくとも１つの第１の係合部材（６７０）が、前記頂部筐体部分の前記少なくとも１つの第１の係合部材（７５０）と係合し、
前記前部筐体部分の前記少なくとも１つの第２の係合部材（６８０）が、前記底部筐体部分の前記少なくとも１つの第１の係合部材（８４０）と係合し、
ファスナが、前記頂部筐体部分の前記第１の位置決め穴（７７０）を前記底部筐体部分の前記第１の位置決め穴（８５０）と係合するように、可逆的に組み立てられ、前記プラグコネクタ筐体が、各回路基板が、
前記頂部フランジと前記底部フランジとの間に前記嵌合壁から前方に延在する前記回路基板の前記エッジコネクタ（４３０）と、
前記回路基板の前記第１の係合部材（４１０）と係合する前記前部筐体部分と係合する前記第３の係合部材（６９０）と、
前記回路基板の前記第２の係合部材（４２０）と係合する前記頂部筐体部分の前記第２の係合部材（７６０）とともに、対応する垂直スロット内に配置されるように、前記回路基板の縁に沿った第１（４１０）及び第２の（４２０）係合部材と、前記回路基板の前方にあるエッジコネクタ（４３０）とを有する、回路基板（４００）を受容するように構成される、プラグコネクタ筐体（５００）。
【外国語明細書】
2019106392000001.pdf